(57)【要約】      （修正有）【課題】吸水性が良効な布材を使用して、頭髪の水分を吸収乾燥させるシャワーキャップを提供する。【解決手段】シャワーキャップ本体１１の両端の被り口１２、１３箇所にそれぞれ相互に引っ掛けて結合する止め具１２１、１３１を設ける。シャワーキャップ１を頭部に被った後、上部端の被り口１３に位置する止め具１３１をシャワーキャップ１の別の一端の被り口１２に設けた止め具１２１方向に引っ掛けて連結すると上部端の被り口１３が封鎖され、よって頭髪は完全にシャワーキャップ１内に包覆される。また、シャワーキャップ本体１１上において、上部端の被り口１３に近接する一部分を除いた残り部分のシャワーキャップ本体１１布材料内に複数の弾性サポートテープ１４を設けて頭部２に被った時にきつく締め付ける効果を備える故、頭髪がしっかり締め付けられる。【選択図】図１
0003149265.tif 000002
【実用新案登録請求の範囲】
【請求項１】
吸水性の良好な布材料で作製した長い筒状のシャワーキャップであり、シャワーキャップ本体両端の被り口箇所にそれぞれ相互に引っ掛けて結合する止め具を設け、シャワーキャップ本体上において、上部端の被り口に近接する一部分を除いた残りの部分のシャワーキャップ本体布材料内に複数の弾性サポートテープを設け、
前述構成要素によるシャワーキャップを頭部に被った後、上部端の被り口に位置する止め具をシャワーキャップの別一端の被り口に設けた止め具方向に引っ掛けて連結し上部端の被り口を封鎖すると、頭髪は完全にシャワーキャップ内に包覆され、並びにシャワーキャップ本体布材料内に設けた複数の弾性サポートテープにより頭部に被ると締め付ける効果を有し、よって頭髪をしっかり束ねることが可能となることを特徴とするシャワーキャップ。
【請求項２】
請求項１記載のシャワーキャップにおいて、シャワーキャップ本体両端の被り口箇所に設ける止め具はボタン及びリボンであることを特徴とするシャワーキャップ。
【請求項３】
請求項１記載のシャワーキャップにおいて、シャワーキャップ本体両端の被り口箇所に設ける止め具は相互に引っ掛けて合うリボン及びボタンの組み合わせであることを特徴とするシャワーキャップ。
【考案の詳細な説明】
【技術分野】
【０００１】
本考案はシャワーキャップに関するものである。それは主に吸水性の良好な布材料で作製した長い筒状のシャワーキャップで、シャワーキャップ本体の両端の被り口箇所それぞれに相互に引っ掛けて結合する止め具を設け、シャワーキャップを頭部に被った後、上部端の被り口に位置する止め具をシャワーキャップの別一端の被り口に設けた止め具方向に引っ掛けて連結し上部端の被り口を封鎖することにより頭髪は完全にシャワーキャップ内に包覆され、並びに頭髪を束ねることにより手で圧力をかけて揉むことが便利になり、頭髪の水分を吸収乾燥させるシャワーキャップの設計である。
【背景技術】
【０００２】
公知のシャワーキャップの大部分は一般医療用の防塵帽子のようなデザインで、並びに帽子縁にはサポートテープが設けられているもので、その多くはプラスチック布材料により作製され、吸水機能は備えておらず、元々の頭髪を水に触れさせない機能を備えているだけである。よって、家庭もしくは美容院では、シャンプー完了時にタオルで頭髪を包み込み、包み込んだタオルで頭髪を拭いて乾燥させた後、ドライヤーで乾かすのが一般的である。
しかし一般に使用するタオルは一般のタオル布である為、吸水効果はよくなく頭髪を包み込む場合は頭髪の毛根を上方向に持ち上げていない故に、ドライヤーを使用して乾燥させる時は内側の頭髪が濡れており乾燥させる時間が引き延ばされ時間を浪費する。その他、乾燥時間が長い故に髪質を痛め、一般のタオルはサポート効果を有していない為に使用時には頭髪をしっかり束ねられず、手で充分に頭を揉んだ後にやっと頭髪の水分が幾らか吸収され使用が非常に不便であり、しかも使用する時は頭髪を包み込む機能を有する設計が施されていない故に、効果的な包み込みが不可能で、しかも手で包み込んだタオルの上部に圧力をかけて押さえなければならず非常に不便である。
【考案の概要】
【考案が解決しようとする課題】
【０００３】
本考案の主な目的は、吸水性の良好な布材料で作製した長い筒状のサポートタイプのシャワーキャップを提供することにあり、シャワーキャップ本体の両端の被り口箇所にそれぞれ相互に引っ掛けて結合する止め具を設け、シャワーキャップを頭部に被ると上部端の被り口に位置する止め具がシャワーキャップの別一端の被り口に設けた止め具方向に引っ掛かって連結され、しかも上部端の被り口を封鎖することにより頭髪は完全にシャワーキャップ内に包覆される。
【０００４】
本考案の次の目的は、シャワーキャップ本体上において、上部端の被り口に近接する一部分を除く残り部分のシャワーキャップ本体布材料内に複数の弾性サポートテープを設け、頭髪に被った時にきつく締め付ける効果を有し、頭髪がしっかり締め付けられる故に手で圧力を加えて揉むのが便利になり、頭髪の水分を吸収して乾燥させるシャワーキャップの提供にある。
【０００５】
本考案のもう一つの目的は、被る時、頭髪を上方向に引っ張り多くの毛根をシャワーキャップに接触させ、拭き取るのが難しい内側の毛根及び頭髪の水分を吸収して乾燥させ、更に大幅にドライヤーの使用時間を短縮し、髪質を痛めないシャワーキャップの提供にある。
【課題を解決するための手段】
【０００６】
請求項１の考案は、吸水性の良好な布材料で作製した長い筒状のシャワーキャップであり、シャワーキャップ本体両端の被り口箇所にそれぞれ相互に引っ掛けて結合する止め具を設け、シャワーキャップ本体上において、上部端の被り口に近接する一部分を除いた残りの部分のシャワーキャップ本体布材料内に複数の弾性サポートテープを設け、
前述構成要素によるシャワーキャップを頭部に被った後、上部端の被り口に位置する止め具をシャワーキャップの別一端の被り口に設けた止め具方向に引っ掛けて連結し上部端の被り口を封鎖すると頭髪は完全にシャワーキャップ内に包覆され、並びにシャワーキャップ本体布材料内に設けた複数の弾性サポートテープにより頭部に被ると締め付ける効果を有し、よって頭髪をしっかり束ねることが可能となることを特徴とするシャワーキャップとしている。
請求項２の考案は、請求項１記載のシャワーキャップにおいて、シャワーキャップ本体両端の被り口箇所に設ける止め具はボタン及びリボンであることを特徴とするシャワーキャップとしている。
請求項３の考案は、請求項１記載のシャワーキャップにおいて、シャワーキャップ本体両端の被り口箇所に設ける止め具は相互に引っ掛け合うリボン及びボタンの組み合わせであることを特徴とするシャワーキャップとしている。
【考案の効果】
【０００７】
本考案は、吸水性の良好な布材料で作製した長い筒状のサポートタイプのシャワーキャップであり、シャワーキャップ本体の両端の被り口箇所にそれぞれ相互に引っ掛けて結合する止め具を設け、シャワーキャップを頭部に被った後、上部端の被り口に位置する止め具をシャワーキャップの別一端の被り口に設けた止め具方向に引っ掛けて連結し、並びに上部端の被り口を封鎖することにより頭髪は完全にシャワーキャップ内に包覆される。また、頭髪を束ねることにより手で圧力を加えて揉むのが便利になり、このようにして頭髪の水分を吸収乾燥させることを特徴とする。
【図面の簡単な説明】
【０００８】
【図１】本考案に関する一実施例の立体図である。
【図２】本考案使用時において頭部の上から下へ被るが、まず先に首部に被った時の実施例の立体図である。
【図３】図２に示した状態によりシャワーキャップの上部端を上方向に引っ張り上げシャワーキャップで完全に頭髪を包み込んだ時の実施例の立体図である。
【図４】図３に示した状態により上部の被り口の止め具ともう一端の被り口の止め具を引っ掛けて結合した時の実施例の立体図である。
【考案を実施するための形態】
【０００９】
図１に示す通り、本考案はシャワーキャップに関するものであり、それは主に吸水性の良好な布材料で作製した長い筒状のサポートタイプのシャワーキャップ１であり、前記シャワーキャップ本体１１の両端の被り口１２、被り口１３箇所にそれぞれ相互に引っ掛けて結合する止め具１２１、止め具１３１を設けてあり、シャワーキャップ１を頭部２に被った後、上部端の被り口１３に位置する止め具１３１をシャワーキャップ１の別一端の被り口１２に設けた止め具１２１方向に引っ掛けて連結すると上部端の被り口１３が封鎖され、よって頭髪２１は完全にシャワーキャップ１内に包覆される。
【００１０】
また、シャワーキャップ本体１１上において、上部端の被り口１３に近接する一部分を除いた残り部分のシャワーキャップ本体１１布材料内に複数の弾性サポートテープ１４を設け、頭部２に被った時にきつく締め付ける効果を備える故、頭髪２１がしっかり締め付けられ、並びに、手で圧力を加えて揉むのを便利にし、頭髪２１の水分を簡単に吸収して乾燥させる。
【００１１】
使用する場合は、弾性サポートテープ１４を備える一端の被り口１２を上から下方向に頭部２に被り、全体を首部に巻き付け（図２参照）、更に上部の被り口１３を上方向に引っ張り上げると下段のシャワーキャップ１が上方向に移動して頭髪２１を完全に包み込む（図３参照）。更に上部端の被り口１３箇所の止め具１３１ともう一端の被り口１２の止め具１２１を引っ掛けて結合するとシャワーキャップ１の上端の被り口１３もまた封鎖され、頭髪２１は完全に包み込まれる（図４参照）。前記シャワーキャップ本体１１の両端の被り口１２、被り口１３箇所に設けた止め具１２１、止め具１３１はボタン及びリボン、または相互に引っ掛けて合うリボンとボタンの組み合わせである。
【００１２】
前述した通り、本考案は頭髪の水分を吸収乾燥させる良好な効果、及び使用の便利性等の効果を備えるものである。
【符号の説明】
【００１３】
１      シャワーキャップ
１１    シャワーキャップ本体
１２    被り口
１３    被り口
１２１  止め具
１３１  止め具
１４    弾性サポートテープ
２      頭部
２１    頭髪  
【図１】
0003149265.tif 000003
【図２】
0003149265.tif 000004
【図３】
0003149265.tif 000005
【図４】
0003149265.tif 000006